【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
側面のいずれかが開放された外箱と、
上面側に設けられた開口部を介して食器類を収納保持し、前記食器類の洗浄時には前記外箱に収納され、かつ、前記食器類の収納及び取り出し時には前記外箱から引き出される洗浄槽と、
前記洗浄槽を前記外箱に対し摺動自在に保持するスライド機構と、
前記洗浄槽に設置され、前記洗浄槽へ洗浄水を供給し、および／または、前記洗浄槽から洗浄後の水を排出するポンプヘッドと、
前記外箱に設置され、前記ポンプヘッドを動作させる駆動モータとを備え、
前記ポンプヘッドと前記駆動モータとが連結・分離自在に構成されてなる食器洗い機。
【請求項２】
前記洗浄槽に設けられ、第一の傾斜端面を備えた押し付け部材と、
前記外箱に設けられ、第二の傾斜端面を有し、前記駆動モータを内包保持するとともに、前記洗浄槽の摺動方向に対し垂直な方向に摺動自在に構成された押し込み部材とを備えるとともに、
前記洗浄槽が前記外箱に収納される際に前記第一の傾斜端面が前記第二の傾斜端面に押し付けられ、前記押し込み部材が前記洗浄槽の摺動方向に対し垂直な方向に摺動することにより前記駆動モータの回転軸が前記ポンプヘッドの回転軸と連結し、前記洗浄槽が前記外箱から引き出される際に前記第一の傾斜端面が前記第二の傾斜端面から分離することにより前記駆動モータの回転軸が前記ポンプヘッドの回転軸と分離してなる請求項１に記載の食器洗い機。
【請求項３】
前記外箱に設けられ、前記洗浄槽の前面に設けられたレバーと連結された押し込み機構をさらに備えるとともに、
前記洗浄槽が前記外箱に収納された後に前記レバーの操作により前記押し込み機構の端部が前記駆動モータの回転軸端部に対し軸方向に押し付けられることにより、前記駆動モータの回転軸が前記ポンプヘッドの回転軸と連結し、前記レバーの前記操作と逆方向の操作により前記押し込み機構の端部が前記駆動モータの回転軸端部より分離することにより、前記駆動モータの回転軸が前記ポンプヘッドの回転軸と分離してなる請求項１に記載の食器洗い機。
【請求項４】
前記駆動モータと前記ポンプヘッドとの連結部において、前記駆動モータと前記ポンプヘッドのいずれか一方の端部が凸部を有するとともに、他方の端部が凹部を有し、前記駆動モータと前記ポンプヘッドが連結される時、この凸部と凹部が嵌合することにより、前記駆動モータに対し前記ポンプヘッドが位置決めされてなる請求項１から３に記載の食器洗い機。
【請求項５】
前記洗浄槽に設けられ、第一の傾斜端面を備えた押し付け部材と、
前記外箱に設けられ、前記駆動モータの回転軸を内包保持し、前記洗浄槽の摺動方向に対し垂直な方向に摺動自在に設けられた、前記駆動モータの回転軸の回転位置決め機構とを備え、前記回転位置決め機構の摺動部が、第三の傾斜端面を有し、
前記洗浄槽が前記外箱に収納される際に前記ポンプヘッドの回転軸が前記洗浄槽の摺動方向に移動することにより前記駆動モータの回転軸と前記ポンプヘッドの回転軸とが連結し、前記駆動モータの回転軸と前記ポンプヘッドの回転軸とが連結した後、前記第一の傾斜端面が前記第三の傾斜端面に押し付けられることにより、前記押し込み部材が前記洗浄槽の摺動方向に対し垂直な方向に摺動し、前記回転位置決め機構が前記駆動モータの回転軸端部から分離し、前記洗浄槽が前記外箱から引き出される際に前記第一の傾斜端面が前記第三の傾斜端面から分離することにより前記回転位置決め機構が前記駆動モータの回転軸端部に固定されてなる請求項１に記載の食器洗い機。
【請求項６】
前記外箱に設けられ、前記洗浄槽の前面に設けられたレバーと連結された押し込み機構と、
前記駆動モータの回転軸を内包保持し、前記駆動モータの回転軸の方向に摺動自在に設けられた、前記駆動モータの回転軸の回転位置決め機構とをさらに備え、
前記洗浄槽が前記外箱に収納される際に前記ポンプヘッドの回転軸が前記洗浄槽の摺動方向に移動することにより前記駆動モータの回転軸と前記ポンプヘッドの回転軸とが連結し、前記駆動モータの回転軸と前記ポンプヘッドの回転軸とが連結した後、前記レバーの操作により、前記押し込み機構が前記駆動モータの回転軸の方向に摺動し、前記回転位置決め機構が前記駆動モータの回転軸端部から分離し、前記レバーの前記操作とは逆方向の操作により、前記押し込み機構が前記駆動モータの回転軸の方向に摺動し、前記回転位置決め機構が前記駆動モータの回転軸端部に固定されてなる請求項１に記載の食器洗い機。
【請求項７】
前記ポンプヘッドの回転軸端部と前記駆動モータの回転軸のいずれか一方の端部が楕円柱状の形状を有し、他方の端部が円板形状を有し、この円板の中心から偏心した位置に少なくとも１本以上の円柱を有するように構成され、前記ポンプヘッドの回転軸端部と前記駆動モータの回転軸端部が連結接続した後、前記楕円柱と前記少なくとも１本以上の円柱が噛み合うことにより前記駆動モータの回転が前記ポンプヘッドに伝達されてなる請求項５または６に記載の食器洗い機。
【手続補正２】
【補正対象書類名】明細書
【補正対象項目名】０００６
【補正方法】変更
【補正の内容】
【０００６】
この発明に係る食器洗い機は、側面のいずれかが開放された外箱と、上面側に設けられた開口部を介して食器類を収納保持し、食器類の洗浄時には外箱に収納され、かつ、食器類の収納及び取り出し時には外箱から引き出される洗浄槽と、洗浄槽を外箱に対し摺動自在に保持するスライド機構と、洗浄槽に設置され、洗浄槽へ洗浄水を供給し、および／または、洗浄槽から洗浄後の水を排出するポンプヘッドと、外箱に設置され、ポンプヘッドを動作させる駆動モータとを備え、ポンプヘッドと駆動モータとが連結・分離自在に構成されたものである。
【手続補正３】
【補正対象書類名】明細書
【補正対象項目名】０００７
【補正方法】変更
【補正の内容】
【０００７】
本発明にかかる食器洗い機によれば、側面のいずれかが開放された外箱と、上面側に設けられた開口部を介して食器類を収納保持し、食器類の洗浄時には外箱に収納され、かつ、食器類の収納及び取り出し時には外箱から引き出される洗浄槽と、洗浄槽を外箱に対し摺動自在に保持するスライド機構と、洗浄槽に設置され、洗浄槽へ洗浄水を供給し、および／または、洗浄槽から洗浄後の水を排出するポンプヘッドと、外箱に設置され、ポンプヘッドを動作させる駆動モータとを備え、ポンプヘッドと駆動モータとが連結・分離自在に構成されるため、重量の大きい駆動モータを洗浄槽から分離し、外箱側に配置することにより洗浄槽の軽量化を図り、駆動モータとポンプヘッドを、連結・分離可能となるように構成したため、洗浄槽の引き出し・押し込み操作を容易にするとともに、摺動部の部品コストの削減により低コストかつ信頼性の高い食器洗い機が実現される。
【手続補正４】
【補正対象書類名】明細書
【補正対象項目名】００１５
【補正方法】変更
【補正の内容】
【００１５】
さらに、上述した実施の形態では、洗浄槽２の引き出し・押し込み動作の一部を斜面同士の倣いにより回転軸の軸方向動作に変換したが、ラックギヤとピニオンギヤの利用や、ボールネジを利用した方法を用いることもでき、また、洗浄槽２の引き出し・押し込み動作の一部分ではなく全動作を利用することもできる。
また、上述した実施の形態では、駆動モータ６a側を回転軸の軸方向に動作させたが、ポンプヘッド５側を軸方向に動作させても良いし、両者を動作させても良い。ただし、ポンプヘッド５側を動作させる場合には機構の追加により、洗浄槽２の重量を増加させてしまうことから、駆動モータ６a側を軸方向に沿って動作させる方がより好ましい。
【手続補正５】
【補正対象書類名】明細書
【補正対象項目名】００２０
【補正方法】変更
【補正の内容】
【００２０】
また、上述した実施の形態では、回転軸の位置合せを洗浄槽２の押し込み操作に伴う洗浄槽２の外箱１への接近動作により実現しているが、ドアロックノブ８の操作によって位置決め部材２４を回転軸接続方向である下方に動作させることも可能である。例えば、ドアロックノブ８に洗浄槽２の奥行き方向よりもやや長いＬ字型の管（押し込み機構）を接続し、ドアロックノブ８の回転によりこのＬ字管を回転させ、先端部にて位置決め部材２４を回転軸接続方向である下方に動作させる方法が挙げられる。なお、Ｌ字管は洗浄槽２側に設けてもよいし、外箱１側に設けてもよい。この場合には、洗浄槽２に固定した押し付け部材２１および押し込み部材２３の斜面２１aが不要となる。さらに、ポンプヘッド５は洗浄槽２の引き出し・押し込み動作方向である前後方向に対して固定されているため、位置決め部材２４の上下方動作のみで実現でき、ポンプヘッド５と位置決め部材２４との干渉が無くなり、回転軸同士の接続・切断がスムーズに実現できる。
【手続補正６】
【補正対象書類名】明細書
【補正対象項目名】００３２
【補正方法】変更
【補正の内容】
【００３２】
また、上記実施の形態では安価なモータ利用を示したが、ステッピングモータなどの位置制御が可能である高価なモータを利用しても同様の効果が得られ、さらに、位置決めピン（回転ロック部材）４２ｂによる固定方法を示したが、ブレーキなどの一般的な固定手法を利用しても同様の効果が得られることは言うまでもない。
なお、ここでは、駆動モータ６ａの出力軸に固定されている回転伝達部品２８の回転を停止・保持する機構を示したが、ポンプヘッド５の入力軸に固定されている回転伝達部品２９側に同様な停止・保持機構を設置しても良い。また、より確実な回転軸の接続・切断を実現するために、回転伝達部品２９側にもブレーキなどの停止・保持機構を設置することも可能である。ただし、洗浄槽２の自重軽減のためには、駆動モータ６ａ側にのみ設置する方が好ましい。また、この実施の形態においても、実施の形態１で述べたドアロックノブ８を操作する方法が利用できることは言うまでもない。